(57)【要約】【課題】    確実な閉蓋性を有すると共に、操作性が良く、且つ安価な、詰め替えのための蓋を備えたティッシュペーパー用筐体の提供。【解決手段】ティッシュペーパーの筐体に、一部を残して切り欠いた蓋を形成すると共に、先の切残した部分に蓋のヒンジとしての役を担わせる。更に筐体には先の蓋の先端と重合可能な重合部を設け、この重合部を乗り越えるように前記蓋の弾性を利用しつつ蓋を押し込み、蓋の閉蓋を維持するようにする。【選択図】  図４
2010006432.tif 000002
【特許請求の範囲】
【請求項１】
シート製六面体と、
該六面体の任意の面の前記シートに、回動中心となる一部を残して切り欠いた回動片部と、
該回動片部と相互に重合し得る前記シート製六面体に形成した重合部とから成るティッシュペーパー用筐体。
【請求項２】
前記重合部が、シート製六面体を組み立てる際の接合代である請求項１記載のティッシュペーパー用筐体。
【発明の詳細な説明】
【技術分野】
【０００１】
本発明は、詰め替え式のティッシュペーパー用筐体に関する。
【背景技術】
【０００２】
従来、所謂ティッシュペーパーと称されるものは、ボール紙で形成された筐体に、折り畳まれた３００枚程度の柔軟なペーパーを納めたものである。即ち、筐体と、其の中に納められているペーパーの両者を併せたものを、ティッシュペーパーと呼んでいた。
【０００３】
又、市場に於けるこのようなティッシュペーパーの流通形態は、ティッシュペーパー一個毎の販売もあるが、五個のティッシュペーパーを、一つの塩化ビニル製等の透明袋に納め、これを最小販売単位として流通させるのが一般的である。  
【０００４】
この一般的な最小販売単位のティッシュペーパーの購入者は、その中から一個のティッシュペーパーを取り出し、其れらの取り出し口から必要枚数のペーパーを取り出して使用するものであった。
【０００５】
そして、ティッシュペーパーのペーパーを使い終えると、筐体はそのまま廃棄されるものであり、最小販売単位の五個のティッシュペーパーを使い終えた段階では、五個の筐体がそのまま廃棄されるものであった。従って、資源の有効利用が叫ばれる中、市場全体として廃棄される筐体の量には計り知れないものがあった。
【０００６】
このような欠点を解消すべく、特開平１１−１０３９２３に示される技術が提供されている。
この技術は、容器本体部（１、７、１１、１６、２０、２５）の蓋（４、１０、１３、１９、２３、２８）を開閉可能にし、中身であるティッシュペーパーを補充可能にすることにより、容器本体部（１、７、１１、１６、２０、２５）を繰り返して使用できるようにしたものである。
【０００７】
この技術に関し、更に詳述するに、ティッシュペーパーを補充する開口は、蓋
（４、１０、１３、１９、２３、２８）によって閉じられ、其の閉じられた状
態を舌片６で維持しようとする技術である。
【０００８】
そしてこの技術の場合、特開平１１−１０３９２３の公開特許公報中には記載されていないが、容器本体部（１、７、１１、１６、２０、２５）全体がボール紙製であるため、其の復元力により蓋（４、１０、１３、１９、２３、２８）は、常に開蓋しようとする性向を有する。この開蓋性向を引き留めているのが、容器本体部（１、７、１１、１６、２０、２５）の内面に対する、舌片６の復元性向による摩擦力のみである。
【０００９】
従って、容器本体部（１、７、１１、１６、２０、２５）内のペーパーの重みや、前記舌片自体の復元性向の消尽によって開蓋し、又持ち運び等の移送時に容器本体部（１、７、１１、１６、２０、２５）に加えられる振動や、歪み等により開蓋してしまうという欠点があり、この技術による閉蓋方法は確実性を欠くものであった。
【特許文献１】特開平１１−１０３９２３
【発明の開示】
【発明が解決しようとする課題】
【００１０】
解決しようとする課題は、ティッシュペーパー用筐体に於ける詰め替えのための蓋の不確実な閉蓋の解消にある。
【００１１】
従って、本発明は確実な閉蓋性を有すると共に、操作性がよく、且つ安価な、詰め替えのための蓋を備えたティッシュペーパー用筐体の提供を目的とする。
【００１２】
尚、以下に記載の「重合」とは、二つのものが重なり合うことを意味するものとする。
【課題を解決するための手段】
【００１３】
請求項１の手段は、
「シート製六面体と、該六面体の任意の面の前記シートに、回動中心となる一部を残して切り欠いた回動片部と、
該回動片部と相互に重合し得る前記シート製六面体に形成した重合部とから成るティッシュペーパー用筐体。」
にある。
【００１４】
請求項２の手段は、
「前記重合部が、シート製六面体を組み立てる際の接合代である請求項１記載のティッシュペーパー用筐体。」
にある。
【発明の効果】
【００１５】
請求項１の場合、回動片部が重合部を乗り越える迄、回動片部を押し込むだけの簡単且つ単純な操作でもって、回動片部の閉蓋状態を確実に維持させることが出来、且つ回動片部と重合し得る重合部を設けるだけの簡単な構成であるため、詰め替え式のティッシュペーパー用筐体を安価に提供することが出来る。
【００１６】
請求項２の場合、シート製六面体を形成する際の接合代を重合部として利用するので、重合部を特別に設ける場合に比較し、ティッシュペーパー用筐体を、より安価に提供することが出来る。
【実施例】
【００１７】
以下本発明の一実施例の構成を、図１乃至図８に従い説明する。
ティッシュペーパー用筐体１の六面体２は、図２の展開図に示すボール紙又はプラスチックシート等のシート３により形成される。
【００１８】
このシート３には、特別な加工を施していないが、六面体２を形成するために折り曲げなければならない箇所がある。ここでは、これを仮想折り曲げ線と言い、多数想定されてある。尚、必要に応じ、これらの仮想折り曲げ線上に目印や、ハーフカット（一方の面から途中まで切り込みを入れ、他方の面までは貫通していない切込み）等を施してもよい。
【００１９】
４、５、６、７、８、９、１０、及び１１は、各々横方向の仮想折り曲げ線であり、又、１２、１３、１４及び１５は各々縦方向の仮想折り曲げ線である。
【００２０】
１６は、シート３の上面シートであり、これは図４、図６、及び図７に示す取り出し口１７を形成するためのミシン目１７aを有する。又この上面シート１６には、このミシン目１７aを裏側から全て覆うようにスリット１８を備えた塩化ビニル製の極薄シート１９が、ミシン目１７aの外周側に貼着してある。
【００２１】
２０はシート３の下面シートであり、これには仮想折り曲げ線１２との交点を始点とし、これとは異なる仮想折り曲げ線１２との交点を終点とする、粗いミシン目２１が施してある。従って、ミシン目２１の全てを切り離すと、図５に示される如く、切り離されていない仮想折り曲げ線１２の部分を回動中心とする回動片部２２が形成されるようにしてある。又２２aは、回動片部２２の先端部である。
【００２２】
尚、この回動中心は、必ずしも上記の仮想折り曲げ線１２上に設ける必要はなく、ミシン目２１の各端を結ぶ直線上が回動中心であればよい。上記の回動片部２２の場合、回動中心と、仮想折り曲げ線１２とを一致させているだけである。
【００２３】
そして、ここに言う回動中心とは、粗いミシン目２１の各端を結ぶ線が、回動片部２２の切り欠かれていない部分、即ち一部を残し切り欠いて形成された回動片部２２の切り欠かれていない部分を指す。  
【００２４】
更に下面シート２０には、図７に示す指挿入用フック２３を形成するためのU字状のミシン目２４を有する。
【００２５】
２５，２６、２７、２８、２９、３０、３１及び３２の各々は、仮想折り曲げ線４、５、６、７、８、９、１０、及び１１を目安に、各々折り曲げ可能な蓋である。
【００２６】
３３及び３４は夫々側面シートを示し、３５は六面体２を組み立てる際の接合代である。
【００２７】
そして上記構成にあるシート３は、ティッシュペーパーの製造工程中、以下の工程をもって、ティッシュペーパー用筐体１に組みたてられるものである。
【００２８】
即ち、仮想折り曲げ線１２、１３、１４、及び１５を目安に、シート３を中空の角柱状に折り曲げ、図３乃至図７に示す如く接合代３５を、下面シート２０の裏側へ接着剤で貼着する。尚、この接着剤の塗布領域は、回動片部２２に塗布されることがない領域とする。
【００２９】
次いで、上記により中空の角柱状に形成されたシート３の蓋２６、２８を、互いに対向した方向に仮想折り曲げ線５、７を目安に折り曲げる。
同様、蓋３０、３２も互いに対向した方向に仮想折り曲げ線９、１１を目安に折り曲げる。
【００３０】
更に、上記で折り曲げた状態の蓋２６、２８に対し、仮想折り曲げ線４を目安に折り曲げた蓋２５を接着剤で貼着する。
同様、上記で折り曲げた状態の蓋３０、３２に対し、仮想折り曲げ線８を目安に折り曲げた蓋２９を接着剤で貼着する。
【００３１】
最後に、上記で貼着した蓋２５に対し、仮想折り曲げ線６を目安に折り曲げた蓋２７を接着剤で貼着する。
同様、上記で貼着した蓋２９に対し、仮想折り曲げ線１０を目安に折り曲げた蓋３１を接着剤で貼着する。
【００３２】
以上がティッシュペーパー用筐体１の組み立て工程であり、この工程を経て図１に示すティッシュペーパー用筐体１が完成する。尚、この工程中、ティッシュペーパー用筐体１内に後述のペーパーが装填されることは無論である。
【００３３】
図４及び図６における３６はティッシュペーパー用筐体１に装填されたペーパーであり、図４、図５、図６及び図７に於ける３７は、前記粗いミシン目２１の切り離しにより形成された開孔である。
【００３４】
図８は、本発明に係るティッシュペーパー用筐体１を適用したティッシュペーパー３８を、市場に流通させる際の、最適な最小販売単位の外装袋３９を示す。
【００３５】
この外装袋３９には、ペーパー３６が装填されているティッシュペーパー３８と、ティッシュペーパー用筐体１の中に装填され得る詰め替え用の圧縮したペーパー３６−１、３６−２、３６−３及び３６−４が同梱されてある。
又、ペーパー３６−１と３６−２間、３６−２と３６−３間、及び３６−３と３６−４間の各々には、各詰め替え用ペーパーを分離するため、有色透明な塩化ビニル製シート４０が介挿してある。
【００３６】
以下本発明の一実施例の作用を、図１乃至図８に従い詳細に説明する。
ペーパー３６の使用に際しては、図８に示す最小販売単位の外装袋３９からティッシュペーパー３８を取り出す。
【００３７】
そして、この取り出したティッシュペーパー３８に於けるティッシュペーパー用筐体１のミシン目１７aを切り離すことにより、取り出し口１７を通してシート１９を露出させ、其のスリット１８を介してペーパー３６を取り出して使用する。
【００３８】
この取り出しを重ね、ティッシュペーパー用筐体１内のペーパー３６を使い切った際は、図１に示す状態に於けるティッシュペーパー用筐体１の天地を変換し、図４で示される状態にする。
【００３９】
天地を変換した後の図３に於いて、下面シート２０のミシン目２４によりU字状に包囲された部分を指で押し下げ、ミシン目２４を切り離す。この切り離しにより切り離された部分を図７に示す如く略１８０度折り曲げた状態にすることにより、指挿入用フック２３が形成される。
【００４０】
次いで、上記により形成された指挿入用フック２３に、例えば人差指を掛けてこれを引き上げる。この引き上げにより、粗いミシン目２１は切り離され、下面シート２０に、仮想折り曲げ線１２を回動中心とする回動片部２２と、開孔３７が各々形成される。尚、仮想折り曲げ線１２と、回動片部２２の回動中心とが一致している根拠は、粗いミシン目２１の各端を、仮想折り曲げ線１２上で止めたことによる。
【００４１】
上記で形成された回動片部２２を、回動させて図６に示される垂立状態に至らしめると、開孔３７上方にペーパー３６を挿入するに十分な大きさのスペースが確保されることになる。
【００４２】
この十分なスペースを得た状態で、外装袋３９内の、シート４０によりペーパー３６−２と分離されているペーパー３６−１を取り出し、開孔３７を介してティッシュペーパー用筐体１内に納める。
【００４３】
納めた後は、回動片部２２を図６の垂立状態から、図４に示す水平状態に戻し、回動片部２２の先端部２２aを重合部たる接合代３５の上面に位置させる。
【００４４】
引き続き、図４に示す状態で、ティッシュペーパー用筐体１に於ける蓋２５及び２７側を右手で、又蓋２９及び３１側を左手で把持し、其の各拇指により、回動片部２２の略中央部に対し、押圧力Pを加える。この押圧力Pにより、回動片部２２は其の弾性により次第に湾曲の度合いを強めながら終には先端部２２aが、接合代３５を乗り越える。
【００４５】
回動片部２２の先端部２２aが、接合代３５を乗り越えた時点で、前記の各拇指による押圧力Pを解除する。この解除と、前記接合代３５を乗り越えたことにより、回動片部２２の弾性により上記湾曲状態が解消されて伸張する。
【００４６】
この伸張は、回動片部２２の先端部２２aを、重合部たる接合代３５の下側に入り込ませ、回動片部と重合部との重合を実現させ、ペーパー３６−１の、ティッシュペーパー用筐体１への詰め替え操作は完了する。
【００４７】
このような状態にあっては回動片部２２の先端部２２aが、接合代３５から容易に外れることは無い。因って、ペーパー３６が意に反してティッシュペーパー用筐体１の外にはみ出してしまう等の心配もない。
【００４８】
尚、回動片部２２の先端部２２aが、接合代３５に対する乗り越えを繰り返しても、前記先端部２２aと接合代３５との重合を維持し得るよう、「シート３の厚さ」と、「重合する幅」が各々設定してある。
【００４９】
ティッシュペーパー用筐体１内の詰め替えしたペーパー３６−１の取り出しを重ね、詰め替えしたペーパー３６−１を使い切った際は、図１に示す状態に於けるティッシュペーパー用筐体１の天地を変換し、図７で示される状態にする。
【００５０】
そして、回動片部２２の先端部２２aが、接合代３５の内側に位置して、外方への回動を阻止されている回動片部２２の指挿入用フック２３に、例えば人差指を掛けてこれを引き上げる。
【００５１】
この引き上げが進むに従い、回動片部２２は其の弾性により次第に湾曲の度合いを強めながら終には其の先端部２２aが、接合代３５を乗り越える。この乗り越えにより、回動片部２２は其の弾性により伸張し、湾曲状態が解消される。
【００５２】
接合代３５を乗り越えさせた後の回動片部２２は、図６に示す状態に至るまで更に回動させ、前記と同様開孔３７上方にペーパー３６−２を挿入するに十分な大きさのスペースを確保する。
【００５３】
この十分なスペースを確保した状態で、外装袋３９内で、シート４０によりペーパー３６−３と分離されているペーパー３６−２を取り出し、開孔３７を介してティッシュペーパー用筐体１内に納める。
【００５４】
納めた後は、回動片部２２を垂立状態から図４に示す水平状態に戻し、回動片部２２の先端部２２aを、接合代３５の上面に位置させる。
【００５５】
引き続き、図４に示す状態のティッシュペーパー用筐体１に於ける蓋２５及び２７側を右手で、又蓋２９及び３１側を左手で把持し、其の各拇指により、回動片部２２の略中央部に対し、押圧力Pを加える。この押圧力Pにより、回動片部２２は其の弾性により次第に湾曲の度合いを強めながら終には其の先端部２２aが、接合代３５を乗り越える。
【００５６】
回動片部２２の先端部２２aが、接合代３５を乗り越えた時点で前記の各拇指による押圧力Pを解除する。この解除と、前記接合代３５を乗り越えたことにより、回動片部２２の弾性により上記湾曲状態が解消されて伸張する。
【００５７】
この伸張は、回動片部２２の先端部２２aを、重合部たる接合代３５の下側に入り込ませ、回動片部と重合部との重合を実現させ、ペーパー３６−２の、ティッシュペーパー用筐体１への詰め替え操作は完了する。
【００５８】
ティッシュペーパー用筐体１への、ペーパー３６−３及び３６−４の詰め替え操作は、上記ペーパー３６−２の詰め替え操作と同様であるため其の説明を省略する。
【００５９】
尚、本実施例の場合、詰め替えが最後となるペーパー３６−４の詰め替え迄、詰め替えの操作が上記の如く繰り返されるものであり、最後のペーパー３６−４を使い切ったところで、ティッシュペーパー用筐体１は廃棄される。
【００６０】
以上で、本願に於ける一実施例の作用の説明を終了するが、これらは以下のような変更も可能である。
【００６１】
上記説明に於いて、回動片部は、下面シート２０に設けてあるが、これに限定されず、六面体の何れの面に設けてもよい。
【００６２】
上記説明に於いては、接合代３５を重合部として利用しているが、これに限定されるものではなく、シートの何れかに形成した重合部でもよく、又シートと一体にした部材を重合部としてもよい。
【図面の簡単な説明】
【００６３】
【図１】本発明に係るティッシュペーパー用筐体の斜視図である。
【図２】本発明に係るティッシュペーパー用筐体の展開図である。
【図３】本発明に係るティッシュペーパー用筐体の底面図である。
【図４】本発明に係るティッシュペーパー用筐体の部分拡大横断面図である。
【図５】本発明に係るティッシュペーパー用筐体の底面側を上にした状態の部分拡大斜視図である。
【図６】本発明に係るティッシュペーパー用筐体の底面側を上にし、且つ回動片部を開放した状態の横断面図である。
【図７】本発明に係るティッシュペーパー用筐体の底面側を上にし、且つ回動片部を重合させた状態の部分拡大横断面図である。
【図８】本発明に係るティッシュペーパー用筐体を適用したティッシュペーパーの最小販売単位を示す斜視図である。
【符号の説明】
【００６４】
１      ティッシュペーパー用筐体
２      六面体
３      シート
１２    回動中心を兼ねる仮想折り曲げ線
２２    回動片部
３５    重合部たる接合代
【図１】
2010006432.tif 000003
【図２】
2010006432.tif 000004
【図３】
2010006432.tif 000005
【図４】
2010006432.tif 000006
【図５】
2010006432.tif 000007
【図６】
2010006432.tif 000008
【図７】
2010006432.tif 000009
【図８】
2010006432.tif 000010
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
シート製六面体と、
該シート製六面体に形成した重合部と、
前記シート製六面体の前記重合部が形成された面のシートに、回動中心となる一部を残して切り欠いて設けた回動片部とからなり、
該回動片部は、前記回動中心と対向する側に押圧又は引き上げにより前記重合部を乗り越え該重合部の上面または下側と相互に重合し得る、先端部を有する回動片部であることを特徴とするティッシュペーパー用筐体。
【請求項２】
前記重合部が、シート製六面体を組み立てる際の接合代である請求項１記載のティッシュペーパー用筐体。
【手続補正２】
【補正対象書類名】明細書
【補正対象項目名】全文
【補正方法】変更
【補正の内容】
【発明の詳細な説明】
【技術分野】
【０００１】
本発明は、詰め替え式のティッシュペーパー用筐体に関する。
【背景技術】
【０００２】
従来、所謂ティッシュペーパーと称されるものは、ボール紙で形成された筐体に、折り畳まれた３００枚程度の柔軟なペーパーを納めたものである。即ち、筐体と、其の中に納められているペーパーの両者を併せたものを、ティッシュペーパーと呼んでいた。
【０００３】
又、市場に於けるこのようなティッシュペーパーの流通形態は、ティッシュペーパー一個毎の販売もあるが、五個のティッシュペーパーを、一つの塩化ビニル製等の透明袋に納め、これを最小販売単位として流通させるのが一般的である。  
【０００４】
この一般的な最小販売単位のティッシュペーパーの購入者は、その中から一個のティッシュペーパーを取り出し、其れらの取り出し口から必要枚数のペーパーを取り出して使用するものであった。
【０００５】
そして、ティッシュペーパーのペーパーを使い終えると、筐体はそのまま廃棄されるものであり、最小販売単位の五個のティッシュペーパーを使い終えた段階では、五個の筐体がそのまま廃棄されるものであった。従って、資源の有効利用が叫ばれる中、市場全体として廃棄される筐体の量には計り知れないものがあった。
【０００６】
このような欠点を解消すべく、特開平１１−１０３９２３に示される技術が提供されている。
この技術は、容器本体部（１、７、１１、１６、２０、２５）の蓋（４、１０、１３、１９、２３、２８）を開閉可能にし、中身であるティッシュペーパーを補充可能にすることにより、容器本体部（１、７、１１、１６、２０、２５）を繰り返して使用できるようにしたものである。
【０００７】
この技術に関し、更に詳述するに、ティッシュペーパーを補充する開口は、蓋
（４、１０、１３、１９、２３、２８）によって閉じられ、其の閉じられた状
態を舌片６で維持しようとする技術である。
【０００８】
そしてこの技術の場合、特開平１１−１０３９２３の公開特許公報中には記載されていないが、容器本体部（１、７、１１、１６、２０、２５）全体がボール紙製であるため、其の復元力により蓋（４、１０、１３、１９、２３、２８）は、常に開蓋しようとする性向を有する。この開蓋性向を引き留めているのが、容器本体部（１、７、１１、１６、２０、２５）の内面に対する、舌片６の復元性向による摩擦力のみである。
【０００９】
従って、容器本体部（１、７、１１、１６、２０、２５）内のペーパーの重みや、前記舌片自体の復元性向の消尽によって開蓋し、又持ち運び等の移送時に容器本体部（１、７、１１、１６、２０、２５）に加えられる振動や、歪み等により開蓋してしまうという欠点があり、この技術による閉蓋方法は確実性を欠くものであった。
【特許文献１】特開平１１−１０３９２３
【発明の開示】
【発明が解決しようとする課題】
【００１０】
解決しようとする課題は、ティッシュペーパー用筐体に於ける詰め替えのための蓋の不確実な閉蓋の解消にある。
【００１１】
従って、本発明は確実な閉蓋性を有すると共に、操作性がよく、且つ安価な、詰め替えのための蓋を備えたティッシュペーパー用筐体の提供を目的とする。
【００１２】
尚、以下に記載の「重合」とは、二つのものが重なり合うことを意味するものとする。
【課題を解決するための手段】
【００１３】
請求項１の手段は、
「シート製六面体と、
該シート製六面体に形成した重合部と、
前記シート製六面体の前記重合部が形成された面のシートに、回動中心となる一部を残して切り欠いて設けた回動片部とからなり、
該回動片部は、前記回動中心と対向する側に押圧又は引き上げにより前記重合部を乗り越え該重合部の上面または下側と相互に重合し得る、先端部を有する回動片部であることを特徴とするティッシュペーパー用筐体。」
にある。
【００１４】
請求項２の手段は、
「前記重合部が、シート製六面体を組み立てる際の接合代である請求項１記載のティッシュペーパー用筐体。」
にある。
【発明の効果】
【００１５】
請求項１の場合、回動片部が重合部を乗り越える迄、回動片部を押し込むだけの簡単且つ単純な操作でもって、回動片部の閉蓋状態を確実に維持させることが出来る。又、回動片部に押圧力を加えるか、回動片部を引き上げるという簡単且つ単純な操作でもって、回動片部の開閉ができる。更に回動片部と重合し得る重合部を設けるだけの簡単な構成であるため、詰め替え式のティッシュペーパー用筐体を安価に提供することが出来る。
【００１６】
請求項２の場合、シート製六面体を形成する際の接合代を重合部として利用するので、重合部を特別に設ける場合に比較し、ティッシュペーパー用筐体を、より安価に提供することが出来る。
【実施例】
【００１７】
以下本発明の一実施例の構成を、図１乃至図８に従い説明する。
ティッシュペーパー用筐体１の六面体２は、図２の展開図に示すボール紙又はプラスチックシート等のシート３により形成される。
【００１８】
このシート３には、特別な加工を施していないが、六面体２を形成するために折り曲げなければならない箇所がある。ここでは、これを仮想折り曲げ線と言い、多数想定されてある。尚、必要に応じ、これらの仮想折り曲げ線上に目印や、ハーフカット（一方の面から途中まで切り込みを入れ、他方の面までは貫通していない切込み）等を施してもよい。
【００１９】
４、５、６、７、８、９、１０、及び１１は、各々横方向の仮想折り曲げ線であり、又、１２、１３、１４及び１５は各々縦方向の仮想折り曲げ線である。
【００２０】
１６は、シート３の上面シートであり、これは図４、図６、及び図７に示す取り出し口１７を形成するためのミシン目１７aを有する。又この上面シート１６には、このミシン目１７aを裏側から全て覆うようにスリット１８を備えた塩化ビニル製の極薄シート１９が、ミシン目１７aの外周側に貼着してある。
【００２１】
２０はシート３の下面シートであり、これには仮想折り曲げ線１２との交点を始点とし、これとは異なる仮想折り曲げ線１２との交点を終点とする、粗いミシン目２１が施してある。従って、ミシン目２１の全てを切り離すと、図５に示される如く、切り離されていない仮想折り曲げ線１２の部分を回動中心とする回動片部２２が形成されるようにしてある。又２２aは、回動片部２２の先端部である。
【００２２】
尚、この回動中心は、必ずしも上記の仮想折り曲げ線１２上に設ける必要はなく、ミシン目２１の各端を結ぶ直線上が回動中心であればよい。上記の回動片部２２の場合、回動中心と、仮想折り曲げ線１２とを一致させているだけである。
【００２３】
そして、ここに言う回動中心とは、粗いミシン目２１の各端を結ぶ線が、回動片部２２の切り欠かれていない部分、即ち一部を残し切り欠いて形成された回動片部２２の切り欠かれていない部分を指す。  
【００２４】
更に下面シート２０には、図７に示す指挿入用フック２３を形成するためのU字状のミシン目２４を有する。
【００２５】
２５，２６、２７、２８、２９、３０、３１及び３２の各々は、仮想折り曲げ線４、５、６、７、８、９、１０、及び１１を目安に、各々折り曲げ可能な蓋である。
【００２６】
３３及び３４は夫々側面シートを示し、３５は六面体２を組み立てる際の接合代である。
【００２７】
そして上記構成にあるシート３は、ティッシュペーパーの製造工程中、以下の工程をもって、ティッシュペーパー用筐体１に組みたてられるものである。
【００２８】
即ち、仮想折り曲げ線１２、１３、１４、及び１５を目安に、シート３を中空の角柱状に折り曲げ、図３乃至図７に示す如く接合代３５を、下面シート２０の裏側へ接着剤で貼着する。尚、この接着剤の塗布領域は、回動片部２２に塗布されることがない領域とする。
【００２９】
次いで、上記により中空の角柱状に形成されたシート３の蓋２６、２８を、互いに対向した方向に仮想折り曲げ線５、７を目安に折り曲げる。
同様、蓋３０、３２も互いに対向した方向に仮想折り曲げ線９、１１を目安に折り曲げる。
【００３０】
更に、上記で折り曲げた状態の蓋２６、２８に対し、仮想折り曲げ線４を目安に折り曲げた蓋２５を接着剤で貼着する。
同様、上記で折り曲げた状態の蓋３０、３２に対し、仮想折り曲げ線８を目安に折り曲げた蓋２９を接着剤で貼着する。
【００３１】
最後に、上記で貼着した蓋２５に対し、仮想折り曲げ線６を目安に折り曲げた蓋２７を接着剤で貼着する。
同様、上記で貼着した蓋２９に対し、仮想折り曲げ線１０を目安に折り曲げた蓋３１を接着剤で貼着する。
【００３２】
以上がティッシュペーパー用筐体１の組み立て工程であり、この工程を経て図１に示すティッシュペーパー用筐体１が完成する。尚、この工程中、ティッシュペーパー用筐体１内に後述のペーパーが装填されることは無論である。
【００３３】
図４及び図６における３６はティッシュペーパー用筐体１に装填されたペーパーであり、図４、図５、図６及び図７に於ける３７は、前記粗いミシン目２１の切り離しにより形成された開孔である。
【００３４】
図８は、本発明に係るティッシュペーパー用筐体１を適用したティッシュペーパー３８を、市場に流通させる際の、最適な最小販売単位の外装袋３９を示す。
【００３５】
この外装袋３９には、ペーパー３６が装填されているティッシュペーパー３８と、ティッシュペーパー用筐体１の中に装填され得る詰め替え用の圧縮したペーパー３６−１、３６−２、３６−３及び３６−４が同梱されてある。
又、ペーパー３６−１と３６−２間、３６−２と３６−３間、及び３６−３と３６−４間の各々には、各詰め替え用ペーパーを分離するため、有色透明な塩化ビニル製シート４０が介挿してある。
【００３６】
以下本発明の一実施例の作用を、図１乃至図８に従い詳細に説明する。
ペーパー３６の使用に際しては、図８に示す最小販売単位の外装袋３９からティッシュペーパー３８を取り出す。
【００３７】
そして、この取り出したティッシュペーパー３８に於けるティッシュペーパー用筐体１のミシン目１７aを切り離すことにより、取り出し口１７を通してシート１９を露出させ、其のスリット１８を介してペーパー３６を取り出して使用する。
【００３８】
この取り出しを重ね、ティッシュペーパー用筐体１内のペーパー３６を使い切った際は、図１に示す状態に於けるティッシュペーパー用筐体１の天地を変換し、図４で示される状態にする。
【００３９】
天地を変換した後の図３に於いて、下面シート２０のミシン目２４によりU字状に包囲された部分を指で押し下げ、ミシン目２４を切り離す。この切り離しにより切り離された部分を図７に示す如く略１８０度折り曲げた状態にすることにより、指挿入用フック２３が形成される。
【００４０】
次いで、上記により形成された指挿入用フック２３に、例えば人差指を掛けてこれを引き上げる。この引き上げにより、粗いミシン目２１は切り離され、下面シート２０に、仮想折り曲げ線１２を回動中心とする回動片部２２と、開孔３７が各々形成される。尚、仮想折り曲げ線１２と、回動片部２２の回動中心とが一致している根拠は、粗いミシン目２１の各端を、仮想折り曲げ線１２上で止めたことによる。
【００４１】
上記で形成された回動片部２２を、回動させて図６に示される垂立状態に至らしめると、開孔３７上方にペーパー３６を挿入するに十分な大きさのスペースが確保されることになる。
【００４２】
この十分なスペースを得た状態で、外装袋３９内の、シート４０によりペーパー３６−２と分離されているペーパー３６−１を取り出し、開孔３７を介してティッシュペーパー用筐体１内に納める。
【００４３】
納めた後は、回動片部２２を図６の垂立状態から、図４に示す水平状態に戻し、回動片部２２の先端部２２aを重合部たる接合代３５の上面に位置させる。
【００４４】
引き続き、図４に示す状態で、ティッシュペーパー用筐体１に於ける蓋２５及び２７側を右手で、又蓋２９及び３１側を左手で把持し、其の各拇指により、回動片部２２の略中央部に対し、押圧力Pを加える。この押圧力Pにより、回動片部２２は其の弾性により次第に湾曲の度合いを強めながら終には先端部２２aが、接合代３５を乗り越える。
【００４５】
回動片部２２の先端部２２aが、接合代３５を乗り越えた時点で、前記の各拇指による押圧力Pを解除する。この解除と、前記接合代３５を乗り越えたことにより、回動片部２２の弾性により上記湾曲状態が解消されて伸張する。
【００４６】
この伸張は、回動片部２２の先端部２２aを、重合部たる接合代３５の下側に入り込ませ、回動片部と重合部との重合を実現させ、ペーパー３６−１の、ティッシュペーパー用筐体１への詰め替え操作は完了する。
【００４７】
このような状態にあっては回動片部２２の先端部２２aが、接合代３５から容易に外れることは無い。因って、ペーパー３６が意に反してティッシュペーパー用筐体１の外にはみ出してしまう等の心配もない。
【００４８】
尚、回動片部２２の先端部２２aが、接合代３５に対する乗り越えを繰り返しても、前記先端部２２aと接合代３５との重合を維持し得るよう、「シート３の厚さ」と、「重合する幅」が各々設定してある。
【００４９】
ティッシュペーパー用筐体１内の詰め替えしたペーパー３６−１の取り出しを重ね、詰め替えしたペーパー３６−１を使い切った際は、図１に示す状態に於けるティッシュペーパー用筐体１の天地を変換し、図７で示される状態にする。
【００５０】
そして、回動片部２２の先端部２２aが、接合代３５の内側に位置して、外方への回動を阻止されている回動片部２２の指挿入用フック２３に、例えば人差指を掛けてこれを引き上げる。
【００５１】
この引き上げが進むに従い、回動片部２２は其の弾性により次第に湾曲の度合いを強めながら終には其の先端部２２aが、接合代３５を乗り越える。この乗り越えにより、回動片部２２は其の弾性により伸張し、湾曲状態が解消される。
【００５２】
接合代３５を乗り越えさせた後の回動片部２２は、図６に示す状態に至るまで更に回動させ、前記と同様開孔３７上方にペーパー３６−２を挿入するに十分な大きさのスペースを確保する。
【００５３】
この十分なスペースを確保した状態で、外装袋３９内で、シート４０によりペーパー３６−３と分離されているペーパー３６−２を取り出し、開孔３７を介してティッシュペーパー用筐体１内に納める。
【００５４】
納めた後は、回動片部２２を垂立状態から図４に示す水平状態に戻し、回動片部２２の先端部２２aを、接合代３５の上面に位置させる。
【００５５】
引き続き、図４に示す状態のティッシュペーパー用筐体１に於ける蓋２５及び２７側を右手で、又蓋２９及び３１側を左手で把持し、其の各拇指により、回動片部２２の略中央部に対し、押圧力Pを加える。この押圧力Pにより、回動片部２２は其の弾性により次第に湾曲の度合いを強めながら終には其の先端部２２aが、接合代３５を乗り越える。
【００５６】
回動片部２２の先端部２２aが、接合代３５を乗り越えた時点で前記の各拇指による押圧力Pを解除する。この解除と、前記接合代３５を乗り越えたことにより、回動片部２２の弾性により上記湾曲状態が解消されて伸張する。
【００５７】
この伸張は、回動片部２２の先端部２２aを、重合部たる接合代３５の下側に入り込ませ、回動片部と重合部との重合を実現させ、ペーパー３６−２の、ティッシュペーパー用筐体１への詰め替え操作は完了する。
【００５８】
ティッシュペーパー用筐体１への、ペーパー３６−３及び３６−４の詰め替え操作は、上記ペーパー３６−２の詰め替え操作と同様であるため其の説明を省略する。
【００５９】
尚、本実施例の場合、詰め替えが最後となるペーパー３６−４の詰め替え迄、詰め替えの操作が上記の如く繰り返されるものであり、最後のペーパー３６−４を使い切ったところで、ティッシュペーパー用筐体１は廃棄される。
【００６０】
以上で、本願に於ける一実施例の作用の説明を終了するが、これらは以下のような変更も可能である。
【００６１】
上記説明に於いて、回動片部は、下面シート２０に設けてあるが、これに限定されず、六面体の何れの面に設けてもよい。
【００６２】
上記説明に於いては、接合代３５を重合部として利用しているが、これに限定されるものではなく、シートの何れかに形成した重合部でもよく、又シートと一体にした部材を重合部としてもよい。
【図面の簡単な説明】
【００６３】
【図１】本発明に係るティッシュペーパー用筐体の斜視図である。
【図２】本発明に係るティッシュペーパー用筐体の展開図である。
【図３】本発明に係るティッシュペーパー用筐体の底面図である。
【図４】本発明に係るティッシュペーパー用筐体の部分拡大横断面図である。
【図５】本発明に係るティッシュペーパー用筐体の底面側を上にした状態の部分拡大斜視図である。
【図６】本発明に係るティッシュペーパー用筐体の底面側を上にし、且つ回動片部を開放した状態の横断面図である。
【図７】本発明に係るティッシュペーパー用筐体の底面側を上にし、且つ回動片部を重合させた状態の部分拡大横断面図である。
【図８】本発明に係るティッシュペーパー用筐体を適用したティッシュペーパーの最小販売単位を示す斜視図である。
【符号の説明】
【００６４】
１      ティッシュペーパー用筐体
２      六面体
３      シート
１２    回動中心を兼ねる仮想折り曲げ線
２２    回動片部
２２a   先端部
３５    重合部たる接合代